(57)【要約】【課題】ペットや不審者等の侵入を防止できる埋設式の柵柱の提供。【解決手段】  ペットや不審者等の侵入を防止できる埋設式の柵柱である。柵柱１０は、下端側の一部が埋設され、鉛直方向に延在する柱体１２を備えている。この柱体１２の外周面には、複数の突起１４が形成されている。柱体１２は、弾性変形可能な素材からできている。【選択図】図１
0003223280.tif 000002
【実用新案登録請求の範囲】
【請求項１】
埋設式の柵柱であって、
下端側の一部が埋設され、鉛直方向に延在する柱体を備え、
前記柱体の外周面には、複数の突起が形成されており、
前記柱体は、弾性変形可能な素材からなることを特徴とする埋設式の柵柱。
【請求項２】
前記柱体は、弾性を有するプラスチックで形成されていることを特徴とする請求項１に記載の埋設式の柵柱。
【請求項３】
請求項１又は２に記載の柵柱を複数個用い、各柵柱を所定の間隔を空けて配置することを特徴とする柵柱の配置構造。
【考案の詳細な説明】
【技術分野】
【０００１】
本考案は、ペットや不審者等の侵入を防止できる埋設式の柵柱に関する。
【背景技術】
【０００２】
例えば住宅街では、ペットを飼育する者がいるが、特に猫は放し飼いであるため、ペットを好まない人の敷地にも勝手に出入りして糞尿をする。また、最近では、里山の管理が行き届かず、タヌキやイノシシといった野生動物が市街地に頻繁に出没するようになった。さらに、動物だけでなく、不審者も以前に増して目撃されるようになってきている。このような状況に鑑みて、何らかの形で好ましくないものを寄せ付けない用具が求められている。
【先行技術文献】
【特許文献】
【０００３】
【特許文献１】実用新案登録第３１５２５８４号公報
【特許文献２】実用新案登録第３１００３８０号公報
【考案の概要】
【考案が解決しようとする課題】
【０００４】
しかし、厳密に動物の侵入を防止しようとすると、従来の柵は大掛かりであり、設置に多大な費用を要する（例えば、特許文献１参照。）。加えて、このタイプは頑丈な構造を有しているため、不審者が容易によじ登ることが可能である。
【０００５】
また、猫の嫌いな臭いを発する忌避剤を散布する方法も考えられてきたが、所定期間が経過すると成分が揮発して効果がなくなるため、繰り返し使用する必要があり、それなりの費用と労力を要する。
【０００６】
さらに、上記特許文献２において提案されている猫よけマットは、平置きタイプであるため、その部分の糞尿防止効果や一定の侵入防止効果はあるものの、猫が飛び越えてしまったり、風に飛ばされたりする場合もある。
【０００７】
そこで本考案は、ペットや不審者等の侵入を防止できる埋設式の柵柱を提供することを目的とする。
【課題を解決するための手段】
【０００８】
上記目的を達成するために、本考案は、ペットや不審者等の侵入を防止できる埋設式の柵柱であって、下端側の一部が埋設され、鉛直方向に延在する柱体を備え、前記柱体の外周面には、複数の突起が形成されており、前記柱体は、弾性変形可能な素材からなることを特徴とする埋設式の柵柱を提供している。
【０００９】
ここで、前記柱体は、弾性を有するプラスチックで形成されていることが好ましい。
【００１０】
また、前記柵柱は、複数個を所定の間隔を空けて配置するのが好ましい。
【考案の効果】
【００１１】
請求項１記載の埋設式の柵柱を用いれば、複数の突起が側面に形成された柱体が鉛直方向に延在するため、ペットを好まない人の敷地に猫等の小動物が飛び越えるなどして侵入するのを防止することができる。
【００１２】
請求項２記載の埋設式の柵柱によれば、柱体が弾性部材で形成されているため、上から荷重がかかると容易に変形する。したがって、柵柱をよじ登って乗り越えようとする不審者の侵入を阻止することができる。また、一定の耐候性も有しているため、長期に亘って使用することができる。
【００１３】
請求項３記載の柵柱の配置構造によれば、ある程度狭い所定の間隔に配置することで、隣接する柵柱の突起が小動物の体に触れるため、これを嫌がる小動物の侵入を阻止することができる。
【図面の簡単な説明】
【００１４】
【図１】本考案の埋設式の柵柱を示す概略図。
【図２】本考案の第１実施形態を示す側面図（ａ）及びその上面図（ｂ）。
【図３】本考案の変形例を示す側面図（ａ）及びその上面図（ｂ）。
【図４】本考案の埋設式の柵柱の埋設方法を示す説明図。
【図５】本考案の埋設式の柵柱の他の埋設方法を示す説明図。
【考案を実施するための形態】
【００１５】
本考案の実施形態による埋設式の柵柱及び柵柱の配置構造について図１から図５に基づき説明する。
【００１６】
図１は、埋設式の柵柱１を示す概略図である。図２に示すように、本考案の第１実施形態の埋設式の柵柱１０は、１本の柱体１２と、複数の突起１４とを備えており、複数の突起１４は柱体１２の外周面において柱体１２の中心側から側方に向けて突出するように一定間隔で形成されている。
【００１７】
柱体１２と複数の突起１４とは、弾性を有するプラスチックでできており、射出成形などの方法によって一体的に形成されている。硬さは、柱体としての自立性と、突起としての鋭さとが、ある程度担保できる程度である。また、埋設式の柵柱１０は屋外に設置するものであるため、耐候性、耐水性、耐熱性、耐寒性等を有していることが好ましい。このような特性を有する弾性プラスチックとしては、例えば、シリコーンゴム、エチレン・プロピレン・ゴム、及び、熱可塑性ポリウレタンが挙げられる。シリコーンゴムを用いれば、様々な色に着色することができる。
【００１８】
柱体１２の長さ（高さ）は、特に限定されないが、１ｍ程度あることが好ましい。短すぎる（低すぎる）と、地面に設置したときに、小動物が飛び越える可能性があり、また、不審者の侵入を防ぐ柵としても機能しにくくなるためである。
【００１９】
柱体１２の形状は、例えば、図２に示すように、四角柱及び円柱が挙げられる。
【００２０】
本考案の変形例として、図３に示すような埋設式の柵柱２０であってもよい。埋設式の柵柱２０は、１本の柱体２２と、複数の針状突起２４と、複数の針状突起２４が一定間隔で設けられたシート２５と、を備えている。
【００２１】
柱体２２は、第１実施形態と同様に弾性を有するプラスチックでできている。一方、複数の針状突起２４とシート２５とは、１種類の硬いプラスチックで一体的に形成されており、特許文献２に示す猫よけシートと同様のものである。複数の針状突起２４が配置されたシート２５は、複数の針状突起２４が埋設式の柵柱２０の長手方向（上下方向）に整列しつつ柱体２２の中心側から側方に突出するような状態で、柱体２２に埋設されている。例えば、シート２５を、柱体２２の外径よりも小さい径の円筒状にして、柱体２２の弾性プラスチックに鋳込むことによって、埋設式の柵柱２０を形成することができる。複数の針状突起２４とシート２５の好ましい素材としては、ポリエチレンやポリプロピレンなどが挙げられる。
【００２２】
次に、本考案の埋設式の柵柱の埋設方法を説明する。埋設式の柵柱１０（２０）は、柵柱が鉛直方向に延在するように、長手方向の一端を地面に埋設して用いる（図１参照）。埋設式の柵柱１０（２０）は、１本ずつ直接地面に埋め込んでもよいが、鉛直方向に細長く、しかも弾性部材でできているため、地面への固定が難しい。そこで、図４に示すように、埋設式の柵柱１０（２０）の地面側端部を固定部材５０に嵌め込んだ後、固定部材５０もろとも完全に地中に埋めると、埋設式の柵柱１０（２０）は安定感が増し、倒れにくくなる。地面を溝状に掘って、固定部材５０に嵌め込んだ埋設式の柵柱１０（２０）を一定間隔に配置し、コンクリートで埋め込むことも可能である。
【００２３】
固定部材５０は、中央に埋設式の柵柱１０（２０）が嵌まる凹形状の窪み５１を有する幅広のブロック５２からなる。地面深くまでしっかり固定したい場合は、ブロック５２の下部に突起部材５４が形成された固定部材６０を用いても良い。固定部材５０、６０は、いずれもある程度の硬さを有しており、ポリエチレンやポリプロピレンなどを用いて成形される。
【００２４】
この他にも、固定部材として、市販のコンクリート製束石を用いても良い。
【００２５】
埋設式の柵柱１０（２０）は、広い空間を仕切る場合、１本だけでは小動物や不審者の侵入を阻止する効果が薄いため、複数本を一定間隔に埋設することが好ましい。
【００２６】
図４に示す方法で１本ずつ埋設することも可能であるが、図５に示すように、複数の埋設式の柵柱１０（２０）を一定間隔で嵌め込むことが可能な固定ユニット７０を用いても良い。固定ユニット７０の形状は、特に限定されないが、例えば、埋設式の柵柱１０（２０）がしっかり嵌まる窪み７１が、１列になるように連続している形状が挙げられる（例えば、コンクリートブロック）。複数の埋設式の柵柱１０（２０）が一定間隔で嵌め込まれた固定ユニット７０も、固定部材５０の例と同様、地面に直接埋設したり、周囲をコンクリートで埋めたりして固定する。
【００２７】
本考案による埋設式の柵柱及び柵柱の配置構造は上述した実施形態に限定されず、実用新案登録請求の範囲に記載した範囲で種々の変形や改良が可能である。
【符号の説明】
【００２８】
１、１０、２０  埋設式の柵柱、
１２、２２  柱体、  
１４  突起、  ２４  針状突起
２５  シート、
５０、６０  固定部材
５１、７１  窪み
５２  ブロック
５４  突起部材
７０  固定ユニット
【図１】
0003223280.tif 000003
【図２】
0003223280.tif 000004
【図３】
0003223280.tif 000005
【図４】
0003223280.tif 000006
【図５】
0003223280.tif 000007